(57)【特許請求の範囲】
【請求項１】
本体を含み、前記本体の中には収納空間が設置され、前記収納空間の底壁には移動空間が設置され、前記移動空間の底壁には傘歯車空間が設置され、前記収納空間の上側には伝動空間が設置され、前記収納空間の右側壁には開口空間が設置され、前記伝動空間と前記開口空間との間にはスプロケット空間が上下対称に連通するように設置され、前記収納空間の下側には本願発明装置のドア開けを制御する制御装置が設置され、前記制御装置は前記移動空間の左側に固定的に取り付けられた伝動モーターを含み、前記伝動モーターの右側にはモーター軸が伝動できるように連結され、前記モーター軸には前記移動空間とスライドできるように連結されたねじ山ブロックがねじ山により連結され、前記傘歯車空間の前後側壁にはプーリー軸が左右対称に回転できるように連結され、各前記プーリー軸にはプーリーが固定的に設置され、二つの前記プーリーの間にはベルトが連結され、右側の前記プーリー軸の後側には前記ねじ山ブロックと噛合できる第一歯車が固定的に設置され、左側の前記プーリー軸の後側には第一傘歯車が固定的に設置され、前記伝動空間の上壁には伝動軸が回転できるように連結され、前記伝動軸が下方へ延びて前記伝動空間の底壁を貫通して前記傘歯車空間の中に入って前記傘歯車空間の頂壁と回転できるように連結され、前記伝動軸の底側には前記第一傘歯車と噛み合った第二傘歯車が固定的に設置され、前記伝動軸の頂部にはウォームが設置され、前記伝動空間の前後側壁にはスプロケット軸が回転できるように連結され、前記スプロケット軸には第一スプロケットが固定的に設置され、前記スプロケット軸の後側には前記ウォームと噛み合ったウォームホイールが固定的に設置され、前記開口空間の上側の前後側壁には回転軸が回転できるように連結され、前記回転軸には前記開口空間の前後側壁と回転できるように連結されたドア板が固定的に設置され、前記ドア板の頂部にはドア板空間が設置され、前記回転軸において前記ドア板空間の中には第二スプロケットが固定的に設置され、前記第二スプロケットと前記第一スプロケットとの間には前記スプロケット空間の中で回転するスプロケットが連結され、
前記ドア板の中には通気空間が設置され、前記通気空間と前記移動空間との間には前記収納空間に通気して前記収納空間の中の真空環境を破壊する通気装置が設置され、前記収納空間の左側には側面空間が設置され、前記開口空間の下側にはばね空間が設置され、前記ばね空間と前記側面空間との間には前記収納空間内の空気を排出する真空装置が設置され、前記傘歯車空間の下側にはスライド空間が設置され、前記スライド空間の底壁には収縮空間が左右対称に設置され、前記本体の頂面には前記収縮空間と対称になった頂側空間が設置され、前記収縮空間と前記頂側空間との間には前記本体を積み重ねるバックル装置が設置されており、
前記バックル装置は前記収縮空間の中にスライドできるように取り付けられたバックルブロックを含み、前記バックルブロックの側面と前記収縮空間の底壁との間には押しばねが連結され、各前記バックルブロックの中には固定口が設置され、前記スライド空間の中には引き板がスライドできるように連結され、前記引き板の中には前記バックルブロックと対応したバックル空間が左右対称に設置され、各前記頂側空間の右側には歯車空間が設置され、右側の前記歯車空間の右側壁には小モーターが固定的に設置され、前記小モーターの左側には歯車軸が伝動できるように連結され、前記歯車軸が右側の前記歯車空間の左側壁と回転できるように連結され、前記歯車軸が左方へ延びて右側の前記歯車空間の左側壁を貫通して左側の前記歯車空間に入り、かつ左側の前記歯車空間の左右側壁と回転できるように連結され、前記歯車軸には第二歯車が左右対称に固定的に設置され、各前記歯車空間の右側壁には横軸が回転できるように連結され、各前記横軸の右側には前記第二歯車と噛み合った第三歯車が固定的に設置され、各前記横軸の左側には固定ロッドがねじ山により連結され、各前記固定ロッドが対応の前記頂側空間の右側壁と前記頂側空間の右側の前記歯車空間の左側壁との間でスライドし、
複数層で高級靴を収納するとき、前記引き板を左方へ押し、これにより前記バックルブロックを下方へ押し、これにより前記バックルブロックによって下側靴箱の前記頂側空間に挿入され、下側の靴箱の前記小モーターを始動し、これにより前記歯車軸を回転させ、これにより前記第二歯車と、前記第三歯車を回転させ、これにより前記横軸を回転させ、これにより前記固定ロッドを左方へスライドさせ、これにより前記固定ロッドが上側の靴箱の中の前記バックルブロック内の前記固定口によって、靴箱を固定することを特徴とする高級靴収納用の真空収納装置。
【請求項２】
前記ねじ山ブロックには置き板が固定的に装着され、前記通気装置は前記通気空間の中に設置された上下対称の通気口を含み、前記通気口が左方に開口しており、前記通気空間の中にはＴ形ブロックがスライドできるように連結され、前記Ｔ形ブロックの左側面と前記通気空間の左側面との間には通気ばねが連結されていることを特徴とする請求項１に記載の高級靴収納用の真空収納装置。
【請求項３】
前記真空装置は前記側面空間の右側壁に固定的に取り付けられた吸気機を含み、前記ばね空間の中にはスライドブロックがスライドできるように連結され、前記スライドブロックの下側には上側電極ブロックが固定的に設置され、前記ばね空間の底部には前記上側電極ブロックと対応した下側電極ブロックが固定的に設置され、前記上側電極ブロックと前記下側電極ブロックとの間には電極ばねが連結され、前記吸気機と前記ばね空間の右側壁との間には下側電線が連結され、前記側面空間と前記収納空間には吸気口が上下対称に連通するように設置され、前記吸気口の左側と前記吸気機とが連結され、前記収納空間の左側壁には気圧センサーが固定的に設置され、前記気圧センサーと前記側面空間との間には上側電線が連結されていることを特徴とする請求項１に記載の高級靴収納用の真空収納装置。
【請求項４】
前記ドア板の底側と、前記Ｔ形ブロックの周りと前記ドア板の前後両側にはゴム製の縁が固定的に設置されていることを特徴とする請求項２に記載の高級靴収納用の真空収納装置。
【請求項５】
一番下側の靴箱が前記バックルブロックを出す必要がないことを特徴とする請求項４に記載の高級靴収納用の真空収納装置。
【請求項６】
前記電極ばねが導電できない材料で製造されていることを特徴とする請求項３に記載の高級靴収納用の真空収納装置。
【請求項７】
前記ドア板が透明材料であることを特徴とする請求項５に記載の高級靴収納用の真空収納装置。
【請求項８】
前記ウォームと前記ウォームホイールの機構は作動しない場合、自動ロック機能を持つことを特徴とする請求項１に記載の高級靴収納用の真空収納装置。
【発明の詳細な説明】
【技術分野】
【０００１】
本発明は貴重品収納分野を取り上げて、具体的には高級靴収納用の真空収納装置である。
【背景技術】
【０００２】
現在、社会の発展に伴い、高級品を収集する若いコレクターはますます増えていき、コレクションはますます多様化になり、今、若者において一番人気があるのは限定発売の高級有名人シグネチャーシューズであり、これらの高価のシューズを履くために購入する人がほとんどないが、大部分の若者は趣味としてシューズを収集する。しかし、現在の靴箱は依然として伝統的な安価なカートンであり、一時的に靴を保管できるが、長時間を経つと、靴が水分と酸化により変形し、市販の靴収納装置がないため、金庫に入れると、いつでもコレクションを鑑賞できなく、従って、高級靴収納用の真空収納装置を設計する必要がある。
【先行技術文献】
【特許文献】
【０００３】
【特許文献１】中国特許出願公開第１０２９０７９１３号明細書
【発明の概要】
【発明が解決しようとする課題】
【０００４】
本発明の目的は高級靴収納用の真空収納装置を提供し、それは上記の現在の技術中の問題を解決できる。
【課題を解決するための手段】
【０００５】
上記の課題を解決するため、本発明は以下の技術プランを採用する：高級靴収納用の真空収納装置は、本体を含み、前記本体の中には収納空間が設置され、前記収納空間の底壁には移動空間が設置され、前記移動空間の底壁には傘歯車空間が設置され、前記収納空間の上側には伝動空間が設置され、前記収納空間の右側壁には開口空間が設置され、前記伝動空間と前記開口空間との間にはスプロケット空間が上下対称に連通するように設置され、前記収納空間の下側には本願発明装置のドア開けを制御する制御装置が設置され、
前記制御装置は前記移動空間の左側に固定的に取り付けられた伝動モーターを含み、前記伝動モーターの右側にはモーター軸が伝動できるように連結され、前記モーター軸には前記移動空間とスライドできるように連結されたねじ山ブロックがねじ山により連結され、前記傘歯車空間の前後側壁にはプーリー軸が左右対称に回転できるように連結され、各前記プーリー軸にはプーリーが固定的に設置され、二つの前記プーリーの間にはベルトが連結され、右側の前記プーリー軸の後側には前記ねじ山ブロックと噛合できる第一歯車が固定的に設置され、左側の前記プーリー軸の後側には第一傘歯車が固定的に設置され、前記伝動空間の上壁には伝動軸が回転できるように連結され、前記伝動軸が下方へ延びて前記伝動空間の底壁を貫通して前記傘歯車空間の中に入って前記傘歯車空間の頂壁と回転できるように連結され、前記伝動軸の底側には前記第一傘歯車と噛み合った第二傘歯車が固定的に設置され、前記伝動軸の頂部にはウォームが設置され、前記伝動空間の前後側壁にはスプロケット軸が回転できるように連結され、前記スプロケット軸には第一スプロケットが固定的に設置され、前記スプロケット軸の後側には前記ウォームと噛み合ったウォームホイールが固定的に設置され、前記開口空間の上側の前後側壁には回転軸が回転できるように連結され、前記回転軸には前記開口空間の前後側壁と回転できるように連結されたドア板が固定的に設置され、前記ドア板の頂部にはドア板空間が設置され、前記回転軸において前記ドア板空間の中には第二スプロケットが固定的に設置され、前記第二スプロケットと前記第一スプロケットとの間には前記スプロケット空間の中で回転するスプロケットが連結され、
前記ドア板の中には通気空間が設置され、前記通気空間と前記移動空間との間には前記収納空間に通気して前記収納空間の中の真空環境を破壊する通気装置が設置され、前記収納空間の左側には側面空間が設置され、前記開口空間の下側にはばね空間が設置され、前記ばね空間と前記側面空間との間には前記収納空間内の空気を排出する真空装置が設置され、前記傘歯車空間の下側にはスライド空間が設置され、前記スライド空間の底壁には収縮空間が左右対称に設置され、前記本体の頂面には前記収縮空間と対称になった頂側空間が設置され、前記収縮空間と前記頂側空間との間には前記本体を積み重ねるバックル装置が設置されている。
【０００６】
優選的には、前記ねじ山ブロックには置き板が固定的に装着され、前記通気装置は前記通気空間の中に設置された上下対称の通気口を含み、前記通気口が左方に開口しており、前記通気空間の中にはＴ形ブロックがスライドできるように連結され、前記Ｔ形ブロックの左側面と前記通気空間の左側面との間には通気ばねが連結されている。
【０００７】
優選的には、前記真空装置は前記側面空間の右側壁に固定的に取り付けられた吸気機を含み、前記ばね空間の中にはスライドブロックがスライドできるように連結され、前記スライドブロックの下側には上側電極ブロックが固定的に設置され、前記ばね空間の底部には前記上側電極ブロックと対応した下側電極ブロックが固定的に設置され、前記上側電極ブロックと前記下側電極ブロックとの間には電極ばねが連結され、前記吸気機と前記ばね空間の右側壁との間には下側電線が連結され、前記側面空間と前記収納空間には吸気口が上下対称に連通するように設置され、前記吸気口の左側と前記吸気機とが連結され、前記収納空間の左側壁には気圧センサーが固定的に設置され、前記気圧センサーと前記側面空間との間には上側電線が連結されている。
【０００８】
優選的には、前記バックル装置は前記収縮空間の中にスライドできるように取り付けられたバックルブロックを含み、前記バックルブロックの側面と前記収縮空間の底壁との間には押しばねが連結され、各前記バックルブロックの中には固定口が設置され、前記スライド空間の中には引き板がスライドできるように連結され、前記引き板の中には前記バックルブロックと対応したバックル空間が左右対称に設置され、各前記頂側空間の右側には歯車空間が設置され、右側の前記歯車空間の右側壁には小モーターが固定的に設置され、前記小モーターの左側には歯車軸が伝動できるように連結され、前記歯車軸が右側の前記歯車空間の左側壁と回転できるように連結され、前記歯車軸が左方へ延びて右側の前記歯車空間の左側壁を貫通して左側の前記歯車空間に入り、かつ左側の前記歯車空間の左右側壁と回転できるように連結され、前記歯車軸には第二歯車が左右対称に固定的に設置され、各前記歯車空間の右側壁には横軸が回転できるように連結され、各前記横軸の右側には前記第二歯車と噛み合った第三歯車が固定的に設置され、各前記横軸の左側には固定ロッドがねじ山により連結され、各前記固定ロッドが対応の前記頂側空間の右側壁と前記頂側空間の右側の前記歯車空間の左側壁との間でスライドする。
【０００９】
優選的には、前記ドア板の底側と、前記Ｔ形ブロックの周りと前記ドア板の前後両側にはゴム製の縁が固定的に設置されている。
【００１０】
優選的には、一番下側の靴箱が前記バックルブロックを出す必要がない。
【００１１】
優選的には、前記電極ばねが導電できない材料で製造されている。
【００１２】
優選的には、前記ドア板が透明材料である。
【００１３】
優選的には、前記ウォームと前記ウォームホイールの機構は作動しない場合、自動ロック機能を持つ。
【発明の効果】
【００１４】
以上により、本願発明の有益な効果は：伝統的な有名な書画のコレクションと比べて、現在の若者は限定発売の高級有名人シグネチャーシューズを収集し、これらの高価のシューズを履くために購入する人がほとんどないが、大部分の若者は趣味としてシューズを収集する。しかし、現在の靴箱は依然として伝統的な安価なカートンであり、一時的に靴を保管できるが、長時間を経つと、靴が水分と酸化により変形し、伝統的な靴箱と比べて、本願発明の装置は真空に近い保管方法を採用し、高級靴の元の状態を最大限に保護し、材料が酸化または変形しないようにし、密封の金庫に入れることと比べて、本願発明の開口は透明な材料を採用し、いつでも好きな靴を鑑賞でき、本願発明の装置内にはバックル装置が設置され、複数層に重ねることを保証し、より多くのコレクションを収納でき、本願発明の装置は一体化設計を採用し、靴を靴板に置けばよく、その他のステップは自動的に完成できる。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本願発明の高級靴収納用の真空収納装置の全体全断面の正面構造概略図
【図２】図２は本願発明の図１のＡ―Ａ方向の断面図
【図３】図３は本願発明の図１のＢの拡大図
【図４】図４は本願発明の図１のＣの拡大図
【図５】図５は本願発明の図１のＤ―Ｄ方向の断面図
【発明を実施するための形態】
【００１７】
図１〜５を参照し、本願発明の高級靴収納用の真空収納装置は、本体２０を含み、前記本体２０の中には収納空間３０が設置され、前記収納空間３０の底壁には移動空間４４が設置され、前記移動空間４４の底壁には傘歯車空間４７が設置され、前記収納空間３０の上側には伝動空間２１が設置され、前記収納空間３０の右側壁には開口空間３４が設置され、前記伝動空間２１と前記開口空間３４との間にはスプロケット空間２８が上下対称に連通するように設置され、前記収納空間３０の下側には本願発明装置のドア開けを制御する制御装置１０１が設置され、前記制御装置１０１は前記移動空間４４の左側に固定的に取り付けられた伝動モーター５８を含み、前記伝動モーター５８の右側にはモーター軸４５が伝動できるように連結され、前記モーター軸４５には前記移動空間４４とスライドできるように連結されたねじ山ブロック５９がねじ山により連結され、前記傘歯車空間４７の前後側壁にはプーリー軸４９が左右対称に回転できるように連結され、各前記プーリー軸４９にはプーリー４８が固定的に設置され、二つの前記プーリー４８の間にはベルト５１が連結され、右側の前記プーリー軸４９の後側には前記ねじ山ブロック５９と噛合できる第一歯車５０が固定的に設置され、左側の前記プーリー軸４９の後側には第一傘歯車５３が固定的に設置され、前記伝動空間２１の上壁には伝動軸２３が回転できるように連結され、前記伝動軸２３が下方へ延びて前記伝動空間２１の底壁を貫通して前記傘歯車空間４７の中に入って前記傘歯車空間４７の頂壁と回転できるように連結され、前記伝動軸２３の底側には前記第一傘歯車５３と噛み合った第二傘歯車５６が固定的に設置され、前記伝動軸２３の頂部にはウォーム２２が設置され、前記伝動空間２１の前後側壁にはスプロケット軸２４が回転できるように連結され、前記スプロケット軸２４には第一スプロケット２５が固定的に設置され、前記スプロケット軸２４の後側には前記ウォーム２２と噛み合ったウォームホイール２６が固定的に設置され、前記開口空間３４の上側の前後側壁には回転軸３２が回転できるように連結され、前記回転軸３２には前記開口空間３４の前後側壁と回転できるように連結されたドア板３３が固定的に設置され、前記ドア板３３の頂部にはドア板空間５５が設置され、前記回転軸３２において前記ドア板空間５５の中には第二スプロケット５４が固定的に設置され、前記第二スプロケット５４と前記第一スプロケット２５との間には前記スプロケット空間２８の中で回転するスプロケット２９が連結され、前記ドア板３３の中には通気空間３５が設置され、前記通気空間３５と前記移動空間４４との間には前記収納空間３０に通気して前記収納空間３０の中の真空環境を破壊する通気装置１０２が設置され、前記収納空間３０の左側には側面空間６５が設置され、前記開口空間３４の下側にはばね空間４２が設置され、前記ばね空間４２と前記側面空間６５との間には前記収納空間３０内の空気を排出する真空装置１０３が設置され、前記傘歯車空間４７の下側にはスライド空間５２が設置され、前記スライド空間５２の底壁には収縮空間６６が左右対称に設置され、前記本体２０の頂面には前記収縮空間６６と対称になった頂側空間７０が設置され、前記収縮空間６６と前記頂側空間７０との間には前記本体２０を積み重ねるバックル装置１０４が設置されている。
【００１８】
また、もう一つの実施例において、前記ねじ山ブロック５９には置き板４６が固定的に装着され、前記通気装置１０２は前記通気空間３５の中に設置された上下対称の通気口７６を含み、前記通気口７６が左方に開口しており、前記通気空間３５の中にはＴ形ブロック３７がスライドできるように連結され、前記Ｔ形ブロック３７の左側面と前記通気空間３５の左側面との間には通気ばね３６が連結され、前記伝動モーター５８を始動し、これにより前記モーター軸４５を回転させ、これにより前記ねじ山ブロック５９を右方へスライドさせ、これにより前記置き板４６を右方へ移動させ、これにより前記置き板４６が前記Ｔ形ブロック３７を右方へ押し、これにより外部の空気が前記通気口７６によって前記収納空間３０の中に入り、これにより前記収納空間３０の中の真空環境を破壊し、これにより前記制御装置１０１が右側の閉まっているドア板３３を開けることができ、これにより前記置き板４６が右方へ移動し、これにより靴を直接に前記置き板４６に置くことができ、これにより前記伝動モーター５８を反転させ、これにより前記置き板４６が本願発明の装置内に入り、これにより前記ドア板３３を閉める。
【００１９】
また、もう一つの実施例において、前記真空装置１０３は前記側面空間６５の右側壁に固定的に取り付けられた吸気機６２を含み、前記ばね空間４２の中にはスライドブロック３９がスライドできるように連結され、前記スライドブロック３９の下側には上側電極ブロック４０が固定的に設置され、前記ばね空間４２の底部には前記上側電極ブロック４０と対応した下側電極ブロック８０が固定的に設置され、前記上側電極ブロック４０と前記下側電極ブロック８０との間には電極ばね４３が連結され、前記吸気機６２と前記ばね空間４２の右側壁との間には下側電線５７が連結され、前記側面空間６５と前記収納空間３０には吸気口６１が上下対称に連通するように設置され、前記吸気口６１の左側と前記吸気機６２とが連結され、前記収納空間３０の左側壁には気圧センサー６３が固定的に設置され、前記気圧センサー６３と前記側面空間６５との間には上側電線６４が連結され、前記ドア板３３を閉め、これにより前記スライドブロック３９を下方へ押し、これにより前記上側電極ブロック４０を下がらせて前記下側電線５７と連結させ、これにより前記上側電極ブロック４０と前記下側電極ブロック８０が前記下側電線５７の導電によって前記吸気機６２を作動させ、これにより前記収納空間３０内の空気を吸い出し、これにより前記収納空間３０内の圧力が下がり、これにより前記気圧センサー６３は圧力が一定な程度まで下がることを感知して前記上側電線６４によって前記吸気機６２の作動を一時停止し、前記収納空間３０内の圧力を安定な状態に制御する。
【００２０】
また、もう一つの実施例において、前記バックル装置１０４は前記収縮空間６６の中にスライドできるように取り付けられたバックルブロック６７を含み、前記バックルブロック６７の側面と前記収縮空間６６の底壁との間には押しばね６８が連結され、各前記バックルブロック６７の中には固定口７５が設置され、前記スライド空間５２の中には引き板４１がスライドできるように連結され、前記引き板４１の中には前記バックルブロック６７と対応したバックル空間６９が左右対称に設置され、各前記頂側空間７０の右側には歯車空間８１が設置され、右側の前記歯車空間８１の右側壁には小モーター３１が固定的に設置され、前記小モーター３１の左側には歯車軸２７が伝動できるように連結され、前記歯車軸２７が右側の前記歯車空間８１の左側壁と回転できるように連結され、前記歯車軸２７が左方へ延びて右側の前記歯車空間８１の左側壁を貫通して左側の前記歯車空間８１に入り、かつ左側の前記歯車空間８１の左右側壁と回転できるように連結され、前記歯車軸２７には第二歯車７４が左右対称に固定的に設置され、各前記歯車空間８１の右側壁には横軸７２が回転できるように連結され、各前記横軸７２の右側には前記第二歯車７４と噛み合った第三歯車７３が固定的に設置され、各前記横軸７２の左側には固定ロッド７１がねじ山により連結され、各前記固定ロッド７１が対応の前記頂側空間７０の右側壁と前記頂側空間７０の右側の前記歯車空間８１の左側壁との間でスライドし、複数層で高級靴を収納するとき、前記引き板４１を左方へ押し、これにより前記バックルブロック６７を下方へ押し、これにより前記バックルブロック６７によって下側靴箱の前記頂側空間７０に挿入され、下側の靴箱の前記小モーター３１を始動し、これにより前記歯車軸２７を回転させ、これにより前記第二歯車７４と、前記第三歯車７３を回転させ、これにより前記横軸７２を回転させ、これにより前記固定ロッド７１を左方へスライドさせ、これにより前記固定ロッド７１が上側の靴箱の中の前記バックルブロック６７内の前記固定口７５によって、靴箱を固定する。
【００２１】
また、もう一つの実施例において、前記ドア板３３の底側と、前記Ｔ形ブロック３７の周りと前記ドア板３３の前後両側にはゴム製の縁３８が固定的に設置され、これにより気体漏れを防止する。
【００２２】
また、もう一つの実施例において、一番下側の靴箱が前記バックルブロック６７を出す必要がないため、前記引き板４１を左側にすればよい。
【００２３】
また、もう一つの実施例において、前記電極ばね４３が導電できない材料で製造され、これにより前記上側電極ブロック４０と前記ばね空間４２とが直接に通電することを防止する。
【００２４】
また、もう一つの実施例において、前記ドア板３３が透明材料であり、これにより外部から靴の状態を便利に見られる。
【００２５】
また、もう一つの実施例において、前記ウォーム２２と前記ウォームホイール２６の機構は作動しない場合、自動ロック機能を持ち、これにより前記ドア板３３の自動閉めを防止する。
【００２６】
初期状態では、ドア板３３と本体２０が閉まっている状態にあり、固定ロッド７１が最右端にあり、頂側空間７０が開口状態にあり、置き板４６が最左側にあり、引き板４１が最右側にあり、高級靴を収納するとき、伝動モーター５８を始動し、これによりモーター軸４５を回転させ、これによりねじ山ブロック５９と置き板４６を右方へ移動させ、これにより置き板４６がＴ形ブロック３７を右方へ押し、これにより外部の空気が通気口７６によって収納空間３０の中に入り、これにより収納空間３０の中の真空環境を破壊し、これによりねじ山ブロック５９が第一歯車５０と噛み合うとき第一歯車５０を回転させ、これによりプーリー軸４９と、プーリー４８を回転させ、これにより第一傘歯車５３が回転し、これにより第二傘歯車５６と、伝動軸２３を回転させ、これによりウォーム２２と、ウォームホイール２６を回転させ、これにより第一スプロケット２５と、第二スプロケット５４を回転させ、これにより回転軸３２を回転させ、これによりドア板３３を開け、これにより置き板４６が右方へ移動し、これにより靴を直接に置き板４６に置くことができ、これにより伝動モーター５８を反転させ、これにより置き板４６が本願発明の装置内に入り、これによりドア板３３を閉める。
【００２７】
ドア板３３が閉まり、これによりスライドブロック３９を下方へ押し、これにより上側電極ブロック４０を下がらせて下側電線５７と連結させ、これにより上側電極ブロック４０と下側電極ブロック８０が下側電線５７の導電によって吸気機６２を作動させ、これにより収納空間３０内の空気を吸い出し、これにより収納空間３０内の圧力が下がり、これにより気圧センサー６３は圧力が一定な程度まで下がることを感知して上側電線６４によって吸気機６２の作動を一時停止し、収納空間３０内の圧力を安定な状態に制御し、複数層で高級靴を収納するとき、引き板４１を左方へ押し、これによりバックルブロック６７を下方へ押し、これによりバックルブロック６７によって下側靴箱の頂側空間７０に挿入され、下側の靴箱の小モーター３１を始動し、これにより歯車軸２７を回転させ、これにより第二歯車７４と、第三歯車７３を回転させ、これにより横軸７２を回転させ、これにより固定ロッド７１を左方へスライドさせ、これにより固定ロッド７１が上側の靴箱の中のバックルブロック６７内の固定口７５によって、靴箱を固定する。
【００２８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【要約】
【課題】本発明は高級靴収納用の真空収納装置を開示した。
【解決手段】
本体を含み、前記本体の中には収納空間が設置され、前記収納空間の底壁には移動空間が設置され、前記移動空間の底壁には傘歯車空間が設置され、前記収納空間の上側には伝動空間が設置され、前記収納空間の右側壁には開口空間が設置され、前記伝動空間と前記開口空間との間にはスプロケット空間が上下対称に連通するように設置され、前記加工空間と前記移動空間との間には本願発明装置のドア開けを制御する制御装置が設置され、前記制御装置は前記移動空間の左側に固定的に取り付けられた伝動モーターを含み、前記伝動モーターの右側にはモーター軸が伝動できるように連結され、前記モーター軸には前記移動空間とスライドできるように連結されたねじ山ブロックがねじ山により連結されている。
【選択図】図１【図１】
0006754062.tif 000002
【図２】
0006754062.tif 000003
【図３】
0006754062.tif 000004
【図４】
0006754062.tif 000005
【図５】
0006754062.tif 000006